(57)【要約】【課題】連続捺印のための手間が抑えられて、連続捺印を簡単、且つ、迅速に行うことができる印判を得る。【解決手段】ベース筒１と、ベース筒１に上下移動自在に外嵌する外筒２と、外筒２に同行してベース筒１内を上下移動する内筒３と、内筒３内に固定する印字ユニット４と、外筒２を押し上げ付勢するばね５と、印字ユニット４の下面の印面８を覆う保護蓋６と、下降状態の外筒２を上昇移動不能にロックする係止手段９とを有する。保護蓋６は、ベース筒１の下端面１ａより上側のカバー開口１１からベース筒１内に入り込んで上昇状態の印字ユニット４の印面８の下側に位置する閉じ姿勢と、ベース筒１の外方へ退避する開放姿勢との間で揺動する。蓋開閉機構が、外筒２の下降に応じて保護蓋６を開放姿勢に揺動させるとともに、外筒２の上昇に応じて保護蓋６を閉じ姿勢に揺動させる。係止手段９は、保護蓋６が開放姿勢まで外筒２が下降したときに、外筒２をベース筒１に自動的に係止する。【選択図】図１
2008173919.tif 000002
【特許請求の範囲】
【請求項１】
上下面が開口するベース筒（１）と、ベース筒（１）の外周面に対して上下スライド移動自在に外嵌する外筒（２）と、外筒（２）に固定してあって外筒（２）に同行してベース筒（１）内を上下スライド移動する内筒（３）と、内筒（３）内に固定する印字ユニット（４）と、ベース筒（１）と外筒（２）との間に介在してベース筒（１）に対して外筒（２）を押し上げ付勢するばね（５）と、印字ユニット（４）の下面に形成された印面（８）の下側を覆う保護蓋（６）と、ベース筒（１）に対して下降状態の外筒（２）を上昇移動不能にロックするための係止手段（９）とを有しており、
ベース筒（１）は、保護蓋（６）をベース筒（１）の下端部内に出入りさせるためのカバー開口（１１）を、ベース筒（１）の下端面（１ａ）より上側に形成してあり、
保護蓋（６）は、ベース筒（１）に揺動自在に支持されていて、カバー開口（１１）からベース筒（１）の下端部内に入り込んで上昇状態の印字ユニット（４）の印面（８）の下側に位置する閉じ姿勢と、ベース筒（１）の外方へ退避する開放姿勢との間で揺動可能になっており、
外筒（２）の昇降動作に連動して保護蓋（６）を揺動操作する蓋開閉機構が設けられていて、蓋開閉機構は、外筒（２）の下降に応じて保護蓋（６）を開放姿勢に揺動操作し、外筒（２）の上昇に応じて保護蓋（６）を閉じ姿勢に揺動操作するようになっており、
係止手段（９）は、保護蓋（６）が開放姿勢になる位置まで外筒（２）が下降したときに、その外筒（２）をベース筒（１）に自動的に係止するように構成したことを特徴とする印判。
【請求項２】
係止手段（９）は、外筒（２）またはベース筒（１）のうち、何れか一方の筒の外周面に設けた掛止部（７０）と、他方の筒の外周面に設けた係合部（７１）とを有しており、
掛止部（７０）は、上下方向に延びるレバー（７３）と、レバー（７３）の上下方向の両端部のうちの他方の筒側となる一端部に設けたフック（７７）と、レバー（７３）の上下中間に配置してあってレバー（７３）を一方の筒の内外方向に揺動自在に支持する支持軸（７６）と、レバー（７３）のフック（７７）側を一方の筒の内方へ向けて付勢する付勢体（７４）とを有しており、
係合部（７１）は、掛止部（７０）のフック（７７）を引っ掛けるための係合角（７８）を有しており、
保護蓋（６）が開放姿勢になる位置まで外筒（２）が下降したときに、レバー（７３）のフック（７７）が係合角（７８）に引っ掛って係止されるとともに付勢体（７４）の付勢力でレバー（７３）のフック（７７）の係止状態が保持され、付勢体（７４）の付勢力に抗してレバー（７３）を揺動させたときには、レバー（７３）のフック（７７）が係合角（７８）から外れた状態になる請求項１に記載の印判。
【請求項３】
係止手段（９）は、外筒（２）の外周面の下端部に設けた掛止部（７０）と、ベース筒（１）の外周面の下端部に設けた係合部（７１）とを有しており、
掛止部（７０）は、上下方向に延びるレバー（７３）と、レバー（７３）の下端部に設けたフック（７７）と、レバー（７３）の上下中間に配置してあってレバー（７３）を外筒（２）の内外方向に揺動自在に支持する支持軸（７６）と、レバー（７３）の上端側を外筒（２）の外方へ向けて付勢する付勢体（７４）とを有しており、
係合部（７１）は、掛止部（７０）のフック（７７）を引っ掛けるための係合角（７８）を有しており、
保護蓋（６）が開放姿勢になる位置まで外筒（２）が下降したときに、レバー（７３）のフック（７７）が係合角（７８）に引っ掛って係止されるとともに付勢体（７４）の付勢力でレバー（７３）のフック（７７）の係止状態が保持され、付勢体（７４）の付勢力に抗してレバー（７３）の上部を外筒（２）側へ揺動させたときには、レバー（７３）のフック（７７）が係合角（７８）から外れた状態になる請求項１に記載の印判。
【請求項４】
保護蓋（６）は、印字ユニット（４）の印面（８）の下側を覆う印面カバー（４２）と、印面カバー（４２）の周縁から上方へ延びる揺動アーム（４１）とを有しており、
揺動アーム（４１）の上部におけるベース筒（１）側の内面には、揺動軸（４４）がベース筒（１）側へ向けて突出形成してあって、揺動軸（４４）が、ベース筒（１）に設けた軸受穴（１０）に入り込んで揺動自在に軸支されており、
蓋開閉機構が、内筒（３）の周面に設けられる上下方向に長いリブ状のカム突起（３０）と、保護蓋（６）の揺動軸（４４）の軸端面に形成されていてカム突起（３０）で回動操作される受動ピース（５５）とを含み、
カム突起（３０）の下端と対向する内筒（３）の周面には、保護蓋（６）の受動ピース（５５）に当接することで保護蓋（６）を強制的に閉じ操作するカム片（３１）を設けてあり、
内筒（３）の下降に連動して受動ピース（５５）がカム突起（３０）で回動操作されて、保護蓋（６）を閉じ姿勢から開放姿勢へ移行する請求項１と２と３の何れかに記載の印判。
【請求項５】
ベース筒（１）に対して上昇状態の外筒（２）を下降移動不能にロックするためのロック手段を有する請求項１と２と３と４の何れかに記載の印判。
【発明の詳細な説明】
【技術分野】
【０００１】
本発明は、印面のインクが他物に付着したり印面に塵埃等が付着したりすることを防ぐために印面に保護蓋を臨ませてその印面を覆い隠し、捺印動作の際には保護蓋が印面から退避するように揺動して、印面を開放する印判に関するものである。
【背景技術】
【０００２】
特許文献１〜７には、捺印動作の際には保護蓋が印面から退避して印面を開放し、捺印終了後に保護蓋が印面に臨む位置に復帰する形態の印判が開示されている。また、特許文献３〜７には、保護蓋が印面から退避して印面を開放した状態でロックできる構成が開示されている。
【０００３】
【特許文献１】特開２００５−７７５４号公報（図１−２）
【特許文献２】実開平６−２４９５９号公報（図１−２）
【特許文献３】特開２００２−２９１２９号公報（図１−３）
【特許文献４】特開２０００−２３８３９９号公報（図１−４）
【特許文献５】実用新案登録第２５６８４１２号公報（図１−６）
【特許文献６】実用新案登録第２５５２１１５号公報（第１−２図）
【特許文献７】実用新案登録第２５７０４８８号公報（図１−２）
【発明の開示】
【発明が解決しようとする課題】
【０００４】
特許文献５〜７では、保護蓋を印面から退避させて印面を開放する操作を行ったのちでなければ、捺印操作を行うことができず、捺印操作を行うまでの手間が煩わしいことになる。特許文献３・４では、保護蓋が印面から退避して印面を開放した状態のまま操作部（特許文献３では外装キャップ４８、特許文献４ではロック筒２５）をロック位置に回動操作しなければならず、やはり捺印操作を行うまでの手間が煩わしいことになる。
【０００５】
そこで本発明の目的は、連続捺印のための手間が抑えられて、連続捺印を簡単、且つ、迅速に行うことができる印判を提供することにある。
【課題を解決するための手段】
【０００６】
本発明に係る印判は、上下面が開口するベース筒１と、ベース筒１の外周面に対して上下スライド移動自在に外嵌する外筒２と、外筒２に固定してあって外筒２に同行してベース筒１内を上下スライド移動する内筒３と、内筒３内に固定する印字ユニット４と、ベース筒１と外筒２との間に介在してベース筒１に対して外筒２を押し上げ付勢するばね５と、印字ユニット４の下面に形成された印面８の下側を覆う保護蓋６と、ベース筒１に対して下降状態の外筒２を上昇移動不能にロックするための係止手段９とを有しており、ベース筒１は、保護蓋６をベース筒１の下端部内に出入りさせるためのカバー開口１１を、ベース筒１の下端面１ａより上側に形成してあり、保護蓋６は、ベース筒１に揺動自在に支持されていて、カバー開口１１からベース筒１の下端部内に入り込んで上昇状態の印字ユニット４の印面８の下側に位置する閉じ姿勢と、ベース筒１の外方へ退避する開放姿勢との間で揺動可能になっており、外筒２の昇降動作に連動して保護蓋６を揺動操作する蓋開閉機構が設けられていて、蓋開閉機構は、外筒２の下降に応じて保護蓋６を開放姿勢に揺動操作し、外筒２の上昇に応じて保護蓋６を閉じ姿勢に揺動操作するようになっており、係止手段９は、保護蓋６が開放姿勢になる位置まで外筒２が下降したときに、その外筒２をベース筒１に自動的に係止するように構成したことを第１の特徴とする（図１）。
【０００７】
本発明に係る印判の第２の特徴は、前記第１の特徴に加えて、係止手段９は、外筒２またはベース筒１のうち、何れか一方の筒の外周面に設けた掛止部７０と、他方の筒の外周面に設けた係合部７１とを有しており、掛止部７０は、上下方向に延びるレバー７３と、レバー７３の上下方向の両端部のうちの他方の筒側となる一端部に設けたフック７７と、レバー７３の上下中間に配置してあってレバー７３を一方の筒の内外方向に揺動自在に支持する支持軸７６と、レバー７３のフック７７側を一方の筒の内方へ向けて付勢する付勢体７４とを有しており、係合部７１は、掛止部７０のフック７７を引っ掛けるための係合角７８を有しており、保護蓋６が開放姿勢になる位置まで外筒２が下降したときに、レバー７３のフック７７が係合角７８に引っ掛って係止されるとともに付勢体７４の付勢力でレバー７３のフック７７の係止状態が保持され、付勢体７４の付勢力に抗してレバー７３を揺動させたときには、レバー７３のフック７７が係合角７８から外れた状態になる点にある。
【０００８】
本発明に係る印判の第３の特徴は、前記第１の特徴に加えて、係止手段９は、外筒２の外周面の下端部に設けた掛止部７０と、ベース筒１の外周面の下端部に設けた係合部７１とを有しており、掛止部７０は、上下方向に延びるレバー７３と、レバー７３の下端部に設けたフック７７と、レバー７３の上下中間に配置してあってレバー７３を外筒２の内外方向に揺動自在に支持する支持軸７６と、レバー７３の上端側を外筒２の外方へ向けて付勢する付勢体７４とを有しており、係合部７１は、掛止部７０のフック７７を引っ掛けるための係合角７８を有しており、保護蓋６が開放姿勢になる位置まで外筒２が下降したときに、レバー７３のフック７７が係合角７８に引っ掛って係止されるとともに付勢体７４の付勢力でレバー７３のフック７７の係止状態が保持され、付勢体７４の付勢力に抗してレバー７３の上部を外筒２側へ揺動させたときには、レバー７３のフック７７が係合角７８から外れた状態になる点にある。
【０００９】
本発明に係る印判の第４の特徴は、前記第１、第２および第３の何れかの特徴に加えて、保護蓋６は、印字ユニット４の印面８の下側を覆う印面カバー４２と、印面カバー４２の周縁から上方へ延びる揺動アーム４１とを有しており、揺動アーム４１の上部におけるベース筒１側の内面には、揺動軸４４がベース筒１側へ向けて突出形成してあって、揺動軸４４が、ベース筒１に設けた軸受穴１０に入り込んで揺動自在に軸支されており、蓋開閉機構が、内筒３の周面に設けられる上下方向に長いリブ状のカム突起３０と、保護蓋６の揺動軸４４の軸端面に形成されていてカム突起３０で回動操作される受動ピース５５とを含み、カム突起３０の下端と対向する内筒３の周面には、保護蓋６の受動ピース５５に当接することで保護蓋６を強制的に閉じ操作するカム片３１を設けてあり、内筒３の下降に連動して受動ピース５５がカム突起３０で回動操作されて、保護蓋６を閉じ姿勢から開放姿勢へ移行する点にある。
【００１０】
本発明に係る印判の第５の特徴は、前記第１、第２、第３および第４の何れかの特徴に加えて、ベース筒１に対して上昇状態の外筒２を下降移動不能にロックするためのロック手段を有する点にある。
【発明の効果】
【００１１】
本発明の印判は、不使用時には、保護蓋６が印字ユニット４の印面８の下側に位置する閉じ姿勢に位置しているので、その印面８が保護蓋６で覆われて、印面８のインクが他物に付着したり印面８に塵埃等が付着したりすること等を防止できる。そのうえで、ベース筒１の下端面１ａを紙面等に当てた状態のまま外筒２を下降操作するだけで、保護蓋６が閉じ姿勢からベース筒１の外方へ退避する開放姿勢へ自動的に揺動して、印字ユニット４の印面８が開放されるとともに、印字ユニット４が下降してその印面８が紙面等に押し当てられて捺印されるので、外筒２を下降操作するだけで、保護蓋６に邪魔されることなく捺印を行うことができる。
【００１２】
そして、保護蓋６が開放姿勢になる位置まで外筒２を下降操作したときには、係止手段９で外筒２をベース筒１に自動的に係止できるので、外筒２の下降操作を１回行うだけで印字ユニット４の印面８を開放した状態がそのまま保持され、使用者は、例えば印判の外筒２を持って印判を次々と紙面等に押し当てていくだけで、連続して捺印を行うことができる。つまり、使用者は、連続捺印のための操作に煩わされることがなく、連続捺印を簡単、且つ、迅速に行うことができる。
【００１３】
本発明では、保護蓋６が開放姿勢になる位置まで外筒２が下降したときに、レバー７３のフック７７が係合角７８に引っ掛って係止されるとともに付勢体７４の付勢力でレバー７３のフック７７の係止状態が保持されるので、簡単な構成でありながら、係止手段９によって外筒２をベース筒１に確実に係止してその係止状態を保持できる。
【００１４】
本発明では、レバー７３を有する掛止部７０を外筒２の外周面の下端部に設け、係合部７１をベース筒１の外周面の下端部に設けて、外筒２が下降した状態でほとんど外筒２内に入り込むベース筒１には、上下に長いレバー７３を設けていないので、係止手段９を設けたことによって外筒２の下降が制限されることが抑えられる。
【００１５】
本発明では、受動ピース５５を保護蓋６の揺動アーム４１の揺動軸４４の軸端面に設けてあるので、受動ピース５５の小さい回動で保護蓋６を大きく回動操作できて、保護蓋６をより迅速に開閉操作できる。また、カム突起３０の下降ストロークが少なくても保護蓋６を大きく回動操作でき、その分だけ外筒２の下降ストロークを小さくできて、印判の上下寸法を削減できる。カム突起３０の下端と対向する内筒３の周面にカム片３１を設けたので、外筒２が上昇するとき、カム片３１で受動ピース５５を回転操作して、保護蓋６を強制的に閉じ操作でき、不使用時の印面８の保護を確実に行えるうえ、保護蓋６の一部がベース筒１等に引っ掛っても保護蓋６を確実に閉じることができる。
【００１６】
本発明では、ベース筒１に対して上昇状態の外筒２を下降移動不能にロックするためのロック手段を有するので、不使用時には、保護蓋６が印字ユニット４の印面８の下側に位置する閉じ姿勢を確実に維持できて、その印面８のインクが他物に付着したり印面８に塵埃等が付着したりすること等を確実に防止できる。
【発明を実施するための最良の形態】
【００１７】
図面は本発明に係る印判を示している。印判は、図１ないし図３に示すように、上下面が開口する円筒形状のベース筒１と、ベース筒１の外周面に対して上下スライド移動自在に外嵌する外筒２と、外筒２に固定してあって外筒２に同行してベース筒１内を上下スライド移動する円筒形状の内筒３と、内筒３内に固定する印字ユニット４と、ベース筒１と外筒２との間に介在してベース筒１に対して外筒２を押し上げ付勢する圧縮コイル形のばね５と、印字ユニット４の下面に形成された印面８の下側を覆う保護蓋６と、ベース筒１に対して上昇状態の外筒２を下降移動不能にロックするためのロック体７と、ベース筒１に対して下降状態の外筒２を上昇移動不能にロックするための係止手段９等を有している。保護蓋６は、ベース筒１に対して前後方向へ揺動自在に支持されている。
【００１８】
ベース筒１は、図１および図３に示すように、その円筒形状の筒壁１６において、保護蓋６の揺動方向（前後方向）と直交する左右方向の適所に、保護蓋６を軸支するための左右一対の軸受穴１０・１０を形成してある。保護蓋６は、印字ユニット４の印面８の下側を覆うための円板形状の印面カバー４２と、印面カバー４２の周縁の左右位置から上方へそれぞれ延びる左右一対の揺動アーム４１・４１とを有している。両揺動アーム４１・４１の上部におけるベース筒１側の内面には、それぞれ揺動軸４４がベース筒１側へ向けて突出形成してあり、各揺動軸４４が、各軸受穴１０に入り込んで揺動自在に軸支されている。ベース筒１の各軸受穴１０の中心軸、すなわち保護蓋６の各揺動軸４４の中心軸は、ベース筒１の筒壁１６の中心軸より僅かに前寄り（図１では左側）に位置する。
【００１９】
ベース筒１の筒壁１６の下端面１ａ近くの前側には、保護蓋６の印面カバー４２をベース筒１の下端部内に出入りさせるためのカバー開口１１を形成してある。そのカバー開口１１は、ベース筒１の下端面１ａより上側において、筒壁１６の周方向に沿って円弧状に形成してある。筒壁１６の上端の左右には、左右一対のばね保持片１２・１２をそれぞれ上向きに突出形成してある。保護蓋６の印面カバー４２には、その周縁の前半部分に沿って円弧状に延びる蓋壁４３を突出形成してあり、蓋壁４３は、印面カバー４２がベース筒１のカバー開口１１を通ってベース筒１内に入り込んだときに、ベース筒１のカバー開口１１を塞ぐようになっている（図１の状態）。ベース筒１において、筒壁１６の上端の前側の内面には、図３に示すように、ロック体７を受け止めるためのストッパー壁１５をベース筒１の内側へ張り出し形成してある。ストッパー壁１５には、その左右中間に切り欠き１４を形成してある。
【００２０】
外筒２は、上下面が開口する円筒形状の主外筒１７と、主外筒１７の上端部に着脱可能に装着するキャップ１８とを有しており、主外筒１７の上端部には、キャップ１８を外嵌係止する円筒形状の装着部１９が形成されている。外筒２のキャップ１８は、下向きに開口する有底円筒形状に形成されており（図２参照）、外筒２の装着部１９は、キャップ１８の内径に合わせて外筒２の筒壁３３の外径よりも小さく形成してある。
【００２１】
外筒２の装着部１９の外周面には、図４および図５に示すように、周方向に環状に突出形成した凸条体３９が形成されており、キャップ１８の内周面には、周方向に環状に突出形成した凸条体４０が形成されており、キャップ１８を装着部１９に装着する際に、キャップ１８の凸条体４０が、装着部１９の凸条体３９を乗り越えることで、その凸条体３９に対して無理抜き可能に係止される。外筒２のキャップ１８は、装着部１９に装着した状態で装着部１９の周方向へ回動可能になっている。外筒２の主外筒１７は、その筒壁３３の下半部の左右に逃げ溝２０・２０をそれぞれ形成してある（図３）。
【００２２】
図１に示すように、外筒２の逃げ溝２０・２０より前側（図１では左側）の筒壁３３の上下長さは、逃げ溝２０・２０より後ろ側（図１では右側）の筒壁３３の上下長さに比べて短く形成してある。キャップ１８は、図３および図８に示すように、その内部においてロック体７に外嵌して回動操作するための操作リブ２４を設けてある。なお、外筒２の筒壁３３の後ろ側には、ストラップ（不図示）等を結びつけるための紐通し部３２が、筒壁３３の外郭線より内側に凹む状態で形成してある（図４参照）。また、外筒２は、図２および図３に示すように、主外筒１７の筒壁３３の前面２１およびキャップ１８の前面４５が平坦面に形成されている。
【００２３】
内筒３は、図３に示すように、その大半を占める主筒壁２５と、主筒壁２５の上部に設けられて主筒壁２５より径の小さい上筒壁２６とを有しており、上筒壁２６の上端の左右に係合爪２７・２７がそれぞれ上向きに突出形成してある。主筒壁２５の左右周面には、平坦なガイド面２９をそれぞれ形成してある。ロック体７は、平面視がＣ字形状のクリップ４７と、クリップ４７の上縁の前部に沿って円弧状に湾曲した状態で上向きに延びる操作片４８と、クリップ４７の下縁の前部に沿って円弧状に湾曲した状態で下向きに延びる縦長のストッパー爪４９とを有する。ロック体７の操作片４８の下部に、縦長のクリック溝５０が形成される。
【００２４】
外筒２の装着部１９の上端部の内面には、図３および図５に示すように、係合壁２２を内向きに張り出し形成してあり、係合壁２２は、装着部１９の内周面に沿って環状に形成されている。係合壁２２の内周縁の左右には、内筒３の係合爪２７・２７がそれぞれ嵌合固定される左右一対の圧嵌部２２ａ・２２ａが切り欠き形成され、係合壁２２の内周縁の前部には、ロック体７の操作片４８が外筒２の周方向に移動可能に嵌合する扇状の凹入部２２ｂが切り欠き形成されている。係合壁２２の凹入部２２ｂの前縁には、図３および図８に示すように、クリック用の左右一対のリブ２３・２３を形成してあり、リブ２３・２３には、ロック体７の操作片４８のクリック溝５０が落ち込み係合可能になっている（図８（ａ）・（ｂ）参照）。
【００２５】
そして、ロック体７のクリップ４７を、内筒３の上筒部２６の外周側に嵌め込むことにより（図４参照）、ロック体７が、内筒３の上筒部２６の周方向に回動自在な状態で内筒３に組み付けられる。この組付状態でロック体７のストッパー爪４９が、内筒３の主筒壁２５の前面を上筒壁２６の周面に沿って凹ませた凹部２８に入り込んでおり、凹部２８の形成範囲内でロック体７が周方向に回動できる。ロック体７の操作片４８は、図８（ａ）・（ｂ）に示すように、キャップ１８の操作リブ２４に嵌合しており、ロック体７がキャップ１８の周方向の回動に追従して回動する。そのキャップ１８の回動に伴ってロック体７のクリック溝５０が、図８（ａ）または図８（ｂ）に示すように、リブ２３・２３の何れか一方に落ち込み係合することにより、クリック感が得られる。
【００２６】
外筒２のキャップ１８を回動操作することで、図９（ａ）に示すように、ロック体７のストッパー爪４９がベース筒１のストッパー壁１５の切り欠き１４に臨んだときには、ベース筒１に対して外筒２を下降させた際にストッパー爪４９がストッパー壁１５の切り欠き１４を通過して、外筒２が下降可能になる（アンロック状態）。外筒２を回動操作して、図９（ｂ）に示すように、ロック体７のストッパー爪４９がベース筒１のストッパー壁１５に臨んだときには、ベース筒１に対して外筒２を下降させようとしてもロック体７のストッパー爪４９の下端がベース筒１のストッパー壁１５に当接して、外筒２が下降不能になる（ロック状態）。
【００２７】
印字ユニット４は、図３および図４に示すように、上下方向に長いとともに上下に段差を形成した保持筒３４と、保持筒３４内の下端部に装着されてインクを含浸するインク含浸マット３５と、保持筒３４内の下端部に装着されて下面に印面８が形成されるゴム印字体３６と、保持筒３４の上端開口を塞ぐ筒栓３７等を有するユニット部品から成り、そのユニット部品のみで販売可能になっている。ゴム印字体３６は、ポーラス（多孔性）ゴム等で形成してあり、印面金具３８で保持筒３４の下端に抜け外れ不能に固定される。そして、保護蓋６は、印面カバー４２がゴム印字体３６の下面を覆い隠す閉じ姿勢（図２および図４の状態）と、印面カバー４２がベース筒１の前面外方へ揺動して印字ユニット４の下降領域から退避する開放姿勢（図６および図７の状態）との間で揺動する。
【００２８】
外筒２の昇降動作に連動して保護蓋６の揺動を操作するために、内筒３および保護蓋６には蓋開閉機構を設けてある。蓋開閉機構は、図３に示すように、内筒３の主筒壁２５の周面の左右のガイド面２９・２９にそれぞれ設けられるカム突起３０と、カム突起３０の下端と対向する各ガイド面２９の下方にそれぞれ設けられるカム片３１と、保護蓋６の各揺動軸４４の軸端面にそれぞれ突出形成されていてカム突起３０およびカム片３１で回動操作される受動ピース５５・５５とを含んでいる。
【００２９】
内筒３の各カム突起３０は、上下方向に長く延びるリブ状に形成してあり、図１および図６に示すように、各カム突起３０の下端には、保護蓋６の各受動ピース５５を回動操作する開き操作面５６が斜めに形成してある。内筒３の各カム片３１は、保護蓋６の各受動ピース５５にそれぞれ当接することで、保護蓋６の各受動ピース５５を回動操作して、保護蓋６を強制的に閉じ操作して閉じ姿勢へ復帰させるために設けてある。各カム片３１の上面側には、逆ヘ字状に屈曲する閉じ操作面５７と、保護蓋６の閉じ限界を規制するストッパー面５８とをそれぞれ設けてある。保護蓋６の各受動ピース５５が回動するときに、受動ピース５５と、カム突起３０又はカム片３１とが干渉するのを避けるために、カム突起３０とカム片３１とは所定の間隔を隔てて配置してある。そして、保護蓋６の各揺動軸４４をベース筒１の各軸受穴１０にそれぞれ組み込んだ状態で、各揺動軸４４の軸端面の受動ピース５５が内筒３のカム突起３０にそれぞれ対向する。
【００３０】
保護蓋６の各受動ピース５５は、４分割の円形状の基部６１と、その基部６１に連続して各揺動軸４４の軸端面の周縁近傍まで延びる横臥Ｌ字状の受動片６２とを有する。受動片６２は、その揺動軸４４の周縁側の先端上面に、内筒３のカム突起３０の開き操作面５６に当接して回動操作される第１接当面６３を斜めに形成してある。受動片６２は、その揺動軸４４の周縁側の先端下面に、内筒３のカム片３１の閉じ操作面５７に当接して回動操作される第２接当面６４を形成してある。各受動ピース５５の基部６１の上隅には、カム突起３０の上下方向に延びる直線壁５２に当接して保護蓋６の開放限界を規定する第３接当面６５が斜めに形成してある。第１接当面６３と第３接当面６５との間は三角形状に切り欠いてあり、この切り欠きを設けたことによって、保護蓋６の受動ピース５５がカム突起３０で回動操作されるときに、受動ピース５５とカム突起３０とが干渉することが回避される。
【００３１】
保護蓋６が閉じ状態にあるときには、保護蓋６の各受動ピース５５の受動片６２が、図１に示すように、内筒３のカム突起３０とカム片３１との間に挟まれており、受動片６２の下面側がカム片３１で受け止められている。この状態から外筒２を押し下げ操作すると、その外筒２に内筒３が同行して下方へ移動して、内筒３のカム突起３０の開き操作面５６が保護蓋６の受動片６２の第１接当面６３に当接し、保護蓋６の揺動軸４４が図１の時計回りの方向（開放姿勢への方向）に回動し、保護蓋６が時計回りの方向に回動する。
【００３２】
外筒２が更に押し下げ下降することで、保護蓋６の第１接当面６３が、内筒３のカム突起３０の開き操作面５６から直線壁５２へ移行して直線壁５２に受け止められ、それに応じて保護蓋６の揺動軸４４が更に回動する。この回動によって、保護蓋６の第３接当面６５が、カム突起３０の直線壁５２で受け止められ、保護蓋６が開放姿勢で保持される（図６の状態）。このとき、図７に示すように、保護蓋６の印面カバー４２がベース筒１の前面外方に退避しており、外筒２および内筒３が更に最下端まで下降することで、保護蓋６が開放姿勢のまま印字ユニット４のゴム印字体３６の印面８がベース筒１の下側に位置しており、そのゴム印字体３６の印面８が紙面等に押し付けられることで、印面８のインクが紙面等に転写されて捺印される。
【００３３】
係止手段９は、図１に示すように、外筒２の主外筒１７の外周面の下端部であって主外筒１７の後面側（図１では右側）に設けた掛止部７０と、ベース筒１の主筒壁２５の外周面の下端部であって主筒壁２５の後面側に設けた係合部７１とを有する。係合部７１は、主筒壁２５から外方へ突出してあり、その突出先端側に横長の係止溝７２を形成してある。掛止部７０は、前後方向へ揺動可能な状態で外筒２に支持されるレバー７３と、レバー７３の上端側を外方へ付勢するコイルばね（付勢体）７４と、レバー７３を支持する支持部７５とを有する。レバー７３は、上下方向に延びるへ字状に形成されている。
【００３４】
レバー７３は、その下端部において外筒２側に折れ曲がるフック７７が設けられており、そのフック７７が、係合部７１の係止溝７２の上面側に形成された係合角７８に引っ掛け可能になっている。コイルばね７４は、レバー７３の上端部７３ａとベース筒１の外周面との間に配置されている。支持部７５は、レバー７３の左右および上側を囲むようにして、ベース筒１の外周面から外方へ突出しており、支持部７５の左右の側壁７５ａ・７５ａにレバー７３が支持軸７６を介して揺動可能に支持されている。
【００３５】
そして、外筒２が最下端位置まで押し下げ下降されたときには、レバー７３のフック７７が、係合部７１の上壁に当たり（図６の状態）、コイルばね７４の付勢力に抗してフック７７が外方に押される。次いで、レバー７３のフック７７が、係合部７１の上壁を外側から乗り越えて係止溝７２内に入り込んで係合部７１の係合角７８に引っ掛って係止される（図７の状態）。これによって、保護蓋６が開放姿勢であって印字ユニット４のゴム印字体３６の印面８がベース筒１の下側に位置した状態で保持される。したがって、そのゴム印字体３６の印面８のインクを紙面等に連続して転写（捺印）することができる。
【００３６】
なお、ベース筒１の下端面１ａを紙面等に押し付けて外筒２を押し下げたときには、ベース筒１の下端面１ａの下側に印字ユニット４の印面８が突出するので、その突出によって外筒２が最下端位置へ確実に下降できるとは限らず、レバー７３のフック７７が係合部７１の係合角７８に引っ掛り難いことがある。この場合、例えば本印判を斜めに傾けた姿勢で係止手段９の係合部７１の下端を紙面等に押し付けることで、外筒２を最下端位置まで確実に下降させることができる。これに続けて、本印判を紙面等に対して垂直姿勢にすることで、ゴム印字体３６の印面８のインクを紙面等に転写することができる。
【００３７】
連続捺印の完了後に、レバー７３の上端部７３ａを、コイルばね７４の付勢力に抗して外筒２側に押すことで、レバー７３のフック７７が係合角７８から外れ、ばね５の付勢力によって外筒２と内筒３と印字ユニット４とが一緒に押し上げられる。そして、印字ユニット４のゴム印字体３６の印面８がカバー開口１１を通過し終わるタイミングで、保護蓋６の第１接当面６３がカム突起３０の直線壁５２から外れて、保護蓋６の揺動軸４４が図７の反時計回りの方向（閉じ姿勢への方向）に回動する。外筒２と内筒３と印字ユニット４とが更に上昇することで、図７に示すように、保護蓋６が更に反時計回りに回動して、内筒３のカム片３１の閉じ操作面５７が、保護蓋６の受動片６２の第２接当面６４に当接したのち、受動片６２の下面がカム片３１のストッパー面５８で受け止められて保護蓋６が閉じ状態に復帰し、その閉じ姿勢で保護蓋６が保持される。
【００３８】
なお、ゴム印字体３６の印面８のインクを紙面等に一回だけ転写（捺印）するときには、指等でレバー７３の上端部７３ａを外筒２側に押した状態を維持したまま、外筒２を押し下げて印面８のインクを紙面等に転写したのち、外筒２の押し下げ力を開放し、または保護蓋６が開放姿勢になって印面８のインクが紙面等に転写可能になっているが、レバー７３のフック７７が係合部７１の係合角７８に引っ掛る手前の状態で、印面８のインクを紙面等に転写したのち、外筒２の押し下げ力を開放することになる。これらの場合、外筒２のレバー７３のフック７７がベース筒１の係合部７１の係合角７８に引っ掛けられていないので、外筒２と内筒３と印字ユニット４とが直ちに上昇するとともに、保護蓋６が閉じ状態に直ちに復帰する。
【００３９】
印判を構成する各部品は次の手順で組み立てる。まず内筒３をベース筒１に下面側から差し込んで、ロック体７を内筒３に組み、保護蓋６の揺動軸４４をベース筒１の軸受穴１０に組み付けて、内筒３とベース筒１とを仮組みする。次いで、ベース筒１のばね保持片１２の間にばね５を組み、両者１・５を外筒２に下面側から差し込むことにより、内筒３の左右の係合爪２７を外筒２の係合壁２２の圧嵌部２２ａにそれぞれ嵌合させて、内筒３を外筒２と一体化する。その後、外筒２のキャップ１８を主外筒１７に装着する。最後に、印字ユニット４を内筒３の下面側から差し込んで、内筒３と印字ユニット４とを圧嵌係合部５１（図４）で圧嵌固定することにより、印判が完成する。なお、印字ユニット４は、内筒３に対して着脱自在になっている。
【００４０】
係止手段９は、図１０に示すように、掛止部７０を外筒２の主外筒１７の上下方向の中間部に設けるとともにその掛止部７０の下端から主外筒１７の下端まで縦長の逃げ溝７９を形成し、また係合部７１をベース筒１の上下方向の中間部に設けてもよい。この場合にも、保護蓋６が開放姿勢になる位置まで外筒２を下降させたときには、ベース筒１の係合部７１が逃げ溝７９に入り込んだ状態で、掛止部７０のレバー７３のフック７７が係合部７１の係合角７８に引っ掛って係止されるとともにばね７４の付勢力でレバー７３のフック７７の係止状態が保持される。つまり、掛止部７０を配置する位置は、外筒２の下端以外であってもよく、これに合わせて係合部７１を配置する位置も、ベース筒１の下端以外であってもよい。
【００４１】
コイルばね７４は、レバー７３の下端部とベース筒１の外周面との間に配置してもよい。この場合、コイルばね７４は、引っ張りばねとしてレバー７３のフック７７を外筒２側に引っ張ることになる。また、コイルばね７４に代えて、板ばねやゴム等の弾性体を配置してもよい。さらに、コイルばね７４に代えて、例えばレバー７３と一体成形したばねを設けてもよい。
【００４２】
また、係止手段９は、掛止部７０をベース筒１の下端部に設け、これに合わせて係合部７１を外筒２の下端部に設けてもよい。この場合、掛止部７０のレバー７３のフック７７が上側になっており、保護蓋６が開放姿勢になる位置まで外筒２が下降したときに、レバー７３のフック７７が係合部７１の係合角７８に引っ掛って係止されるとともにばね７４の付勢力でレバー７３のフック７７の係止状態が保持されることになる。
【図面の簡単な説明】
【００４３】
【図１】本発明の印判の要部を示す縦断側面図である。
【図２】本発明の印判の斜視図である。
【図３】本発明の印判の分解斜視図である。
【図４】本発明の印判全体の縦断側面図である。
【図５】本発明の印判全体の縦断正面図である。
【図６】本発明の印判の捺印状態を示す縦断側面図である。
【図７】本発明の印判の捺印状態を示す側面図である。
【図８】操作リブでのロック体の操作を示す図５のＡ−Ａ線断面図である。
【図９】ストッパー爪とストッパー壁との関係を示す図５のＢ−Ｂ線断面図である。
【図１０】本発明の他の実施例の印判全体の縦断側面図である。
【符号の説明】
【００４４】
１  ベース筒
１ａ  下端面
２  外筒
３  内筒
４  印字ユニット
５  ばね
６  保護蓋
７  ロック体
８  印面
９  係止手段
１１  カバー開口
３０  カム突起
３１  カム片
４１  揺動アーム
４２  印面カバー
４４  揺動軸
５５  受動ピース
７０  掛止部
７１  係合部
７２  係止溝
７３  レバー
７４  ばね
７６  支持軸
７７  フック
【図１】
2008173919.tif 000003
【図２】
2008173919.tif 000004
【図３】
2008173919.tif 000005
【図４】
2008173919.tif 000006
【図５】
2008173919.tif 000007
【図６】
2008173919.tif 000008
【図７】
2008173919.tif 000009
【図８】
2008173919.tif 000010
【図９】
2008173919.tif 000011
【図１０】
2008173919.tif 000012